(57)【要約】【課題】小型、広角、高ズーム比で、かつ、迅速なフォーカシングが可能な撮像光学系を提供する。【解決手段】物体側より像側へ順に、正屈折力の第１レンズ群と、負屈折力の第２レンズ群と、正屈折力の第３レンズ群と、開口絞りと、正屈折力の後続群と、を有し、広角端から望遠端への変倍時、前記第１レンズ群と前記第２レンズ群の間隔は拡大し、前記第２レンズ群と前記第３レンズ群の間隔は縮小し、前記第３レンズ群は像側へ移動し、前記第３レンズ群は、フォーカシングに際して像側へ移動し、以下の条件式を満足する。４．８０  ＜  ｜ｆ３／ｆ２｜  ＜  ８．００ただし、ｆ２は前記第２レンズ群の焦点距離、ｆ３は前記第３レンズ群の焦点距離である。【選択図】図１
2019061183.tif 000002
【特許請求の範囲】
【請求項１】
物体側より像側へ順に、
正屈折力の第１レンズ群と、
負屈折力の第２レンズ群と、
正屈折力の第３レンズ群と、
開口絞りと、
正屈折力の後続群と、
を有し、
広角端から望遠端への変倍時、
前記第１レンズ群と前記第２レンズ群の間隔は拡大し、
前記第２レンズ群と前記第３レンズ群の間隔は縮小し、
前記第３レンズ群は像側へ移動し、
前記第３レンズ群は、フォーカシングに際して像側へ移動し、
以下の条件式を満足することを特徴とする撮像光学系。
４．８０  ＜  ｜ｆ３／ｆ２｜  ＜  ８．００
ただし、ｆ２は前記第２レンズ群の焦点距離、ｆ３は前記第３レンズ群の焦点距離である。
【請求項２】
以下の条件式を満足することを特徴とする請求項１に記載の撮像光学系。
−０．０８０  ＜  ｆ２／ｆｔ  ＜  −０．０４０
ただし、ｆ２は前記第２レンズ群の焦点距離、ｆｔは望遠端におけるレンズ全系の焦点距離である。
【請求項３】
以下の条件式を満足することを特徴とする請求項１または２に記載の撮像光学系。
０．３０  ＜  ｆ１／ｆｔ  ＜  ０．６０
ただし、ｆ１は前記第１レンズ群の焦点距離、ｆｔは望遠端におけるレンズ全系の焦点距離である。
【請求項４】
以下の条件式を満足することを特徴とする請求項１乃至３のいずれか１項に記載の撮像光学系。
０．２８  ＜  ｆ３／ｆｔ  ＜  ０．５５
ただし、ｆ３は前記第３レンズ群の焦点距離、ｆｔは望遠端におけるレンズ全系の焦点距離である。
【請求項５】
以下の条件式を満足することを特徴とする請求項１乃至４のいずれか１項に記載の撮像光学系。
−０．１００  ＜  １ｓｔ／ｆｔ  ＜  ０．１００
ただし、１ｓｔは第１レンズ群の広角端から望遠端へのズーム移動量、ｆｔは望遠端におけるレンズ全系の焦点距離である。
【請求項６】
前記正屈折力の後群は、最も物体側に正屈折力の第４レンズ群を有し、変倍時物体側へ移動することを特徴とする請求項１乃至５のいずれか１項に記載の撮像光学系。
【請求項７】
以下の条件式を満足することを特徴とする請求項１乃至３のいずれか１項に記載の撮像光学系。
０．１００  ＜  ｆ４／ｆｔ  ＜  ０．１６０
ただし、ｆ３は前記第３レンズ群の焦点距離、ｆｔは望遠端におけるレンズ全系の焦点距離である。
【発明の詳細な説明】
【技術分野】
【０００１】
本発明は撮像光学系に関し、例えば電子スチルカメラ、ビデオカメラ、ＴＶカメラ（放送用）、銀塩写真用のカメラ等に好適なものである。
【背景技術】
【０００２】
近年、固体撮像素子を用いたデジタルスチルカメラ、放送用カメラ、そして銀塩フィルムを用いたカメラ等の撮像装置は高性能化され、また、装置全体が小型化されている。そして、それに用いる撮像光学系としてレンズ全長が短く、コンパクトでしかも高解像力のズームレンズであることが要求されている。更に、広画角で高ズーム比のズームレンズへの要望も高まっている。
【０００３】
また、撮像光学系では、高い光学性能と共に、迅速なフォーカシングを行うことが求められている。
【０００４】
ところで、一般に撮像光学系におけるフォーカシングは撮像光学系全体を移動させたり、若しくは撮像光学系の一部を移動させたりして行っている。撮像光学系の中間レンズ群でフォーカシングを行う所謂インナーフォーカスは、撮像光学系全系を繰り出すフォーカシング方式に対して、繰り出し量が少なく、また、フォーカシング用レンズ群が小型で軽量となる。そのため、フォーカシング時の繰り出しを高速に行うことができ、また、フォーカシング時の駆動トルクを低減することができるため、例えば自動焦点検出装置等に適用したときは駆動モータを小型化することが可能となる。
【０００５】
これらの要求に応える高ズーム比で全系が小型のインナーフォーカス式のズームレンズとしてポジティブリードタイプの光学系が知られている。
【０００６】
物体側より像側へ順に、正の屈折力の第１レンズ群、負の屈折力の第２レンズ群、正の屈折力の第３レンズ群、負の屈折力の第４レンズ群、正の屈折力の第５レンズ群の５つのレンズ群を有する５群ズームレンズが知られている（特許文献１）。
【０００７】
特許文献１では、第１レンズ群、第３レンズ群の屈折力を適切に定めることにより、比較的小型軽量の第３レンズ群でフォーカシングを行い、ズーム比５倍程度のズームレンズを開示している。
【０００８】
また、物体側より像側へ順に、正屈折力の第１レンズ群、負屈折力の第２レンズ群、正屈折力の第３レンズ群、第４レンズ群、正屈折力の第５レンズ群の５つのレンズ群を有す５群ズームレンズが知られている（特許文献２）。
【０００９】
特許文献２では、小型軽量の第５レンズ群でフォーカスを行い、また、ズーム比２０倍程度のズームレンズを開示している。
【先行技術文献】
【特許文献】
【００１０】
【特許文献１】特開２０１２−１１３１８２号公報
【特許文献２】特開２００６−１８４７７６号公報
【発明の概要】
【発明が解決しようとする課題】
【００１１】
特許文献１では、ズーム比が５倍程度の望遠ズームであり、広角化、高倍化を行うには、特に主変倍群である第２レンズ群、および、フォーカス群である第３レンズ群の屈折力を適切に配置する必要があるが、広角化、高倍化に関する開示はされていない。
【００１２】
特許文献２では、２０倍程度のズームが開示されているが、フォーカス群が最終の第５レンズ群であり、フォーカス敏感度（フォーカスレンズの移動量と、それに伴うバックフォーカスの変化量の比）が小さい。そのため、フォーカシングの繰り出し量が比較的長くなるため、フォーカシングに時間がかかってしまう。
【００１３】
そこで、本発明は、小型、広角、高ズーム比で、かつ、迅速なフォーカシングが可能な撮像光学系の提供を目的とする。
【課題を解決するための手段】
【００１４】
上記目的を達成するため、本発明に係る撮像光学系は、物体側より像側へ順に、正屈折力の第１レンズ群と、負屈折力の第２レンズ群と、正屈折力の第３レンズ群と、開口絞りと、正屈折力の後続群と、を有し、広角端から望遠端への変倍時、前記第１レンズ群と前記第２レンズ群の間隔は拡大し、前記第２レンズ群と前記第３レンズ群の間隔は縮小し、前記第３レンズ群は像側へ移動し、前記第３レンズ群は、フォーカシングに際して像側へ移動し、以下の条件式を満足することを特徴とする。
４．８０  ＜  ｜ｆ３／ｆ２｜  ＜  ８．００
ただし、ｆ２は前記第２レンズ群の焦点距離、ｆ３は前記第３レンズ群の焦点距離である。
【発明の効果】
【００１５】
本発明によれば、小型、広角、高ズーム比で、かつ、迅速なフォーカシングが可能な撮像光学系が得られる。
【図面の簡単な説明】
【００１６】
【図１】第１の実施形態の広角端における無限遠物体合焦時のレンズ断面図
【図２】第１の実施形態の無限遠物体合焦時の収差図
【図３】第１の実施形態の物体距離０．７ｍ合焦時の収差図
【図４】第２の実施形態の広角端における無限遠物体合焦時のレンズ断面図
【図５】第２の実施形態の無限遠物体合焦時の収差図
【図６】第２の実施形態の物体距離０．７ｍ合焦時の収差図
【図７】第３の実施形態の広角端における無限遠物体合焦時のレンズ断面図
【図８】第３の実施形態の無限遠物体合焦時の収差図
【図９】第３の実施形態の物体距離０．７ｍ合焦時の収差図
【図１０】第４の実施形態の広角端における無限遠物体合焦時のレンズ断面図
【図１１】第４の実施形態の無限遠物体合焦時の収差図
【図１２】第４の実施形態の物体距離０．７ｍ合焦時の収差図
【図１３】小型、高倍化するための手法の説明図
【発明を実施するための形態】
【００１７】
以下、本発明の撮像光学系および各実施形態の撮像光学系について図面を参照して説明する。
【００１８】
ここで、図１は、第１の実施形態の広角端における無限遠物体合焦時のレンズ断面図である。図２（ａ）は、第１の実施形態の広角端における無限遠物体合焦時の収差図である。図２（ｂ）は、第１の実施形態の中間焦点距離における無限遠物体合焦時の収差図である。図２（ｃ）は、第１の実施形態の望遠端における無限遠物体合焦時の収差図である。図３（ａ）は、第１の実施形態の広角端における物体距離０．２ｍ合焦時の収差図である。図３（ｂ）は、第１の実施形態の中間焦点距離における物体距離０．７ｍ合焦時の収差図である。図３（ｃ）は、第１の実施形態の望遠端における物体距離０．７ｍ合焦時の収差図である。
【００１９】
図４は、第２の実施形態の広角端における無限遠物体合焦時のレンズ断面図である。図５（ａ）は、第２の実施形態の広角端における無限遠物体合焦時の収差図である。図５（ｂ）は、第２の実施形態の中間焦点距離における無限遠物体合焦時の収差図である。図５（ｃ）は、第２の実施形態の望遠端における無限遠物体合焦時の収差図である。図６（ａ）は、第２の実施形態の広角端における物体距離０．２ｍ合焦時の収差図である。図６（ｂ）は、第２の実施形態の中間焦点距離における物体距離０．７ｍ合焦時の収差図である。図６（ｃ）は、第２の実施形態の望遠端における物体距離０．７ｍ合焦時の収差図である。
【００２０】
図７は、第３の実施形態の広角端における無限遠物体合焦時のレンズ断面図である。図８（ａ）は、第３の実施形態の広角端における無限遠物体合焦時の収差図である。図８（ｂ）は、第３の実施形態の中間焦点距離における無限遠物体合焦時の収差図である。図８（ｃ）は、第３の実施形態の望遠端における無限遠物体合焦時の収差図である。図９（ａ）は、第３の実施形態の広角端における物体距離０．２ｍ合焦時の収差図である。図９（ｂ）は、第３の実施形態の中間焦点距離における物体距離０．７ｍ合焦時の収差図である。図９（ｃ）は、第３の実施形態の望遠端における物体距離０．７ｍ合焦時の収差図である。
【００２１】
図１０は、第４の実施形態の広角端における無限遠物体合焦時のレンズ断面図である。図１１（ａ）は、第４の実施形態の広角端における無限遠物体合焦時の収差図である。図１１（ｂ）は、第４の実施形態の中間焦点距離における無限遠物体合焦時の収差図である。図１１（ｃ）は、第４の実施形態の望遠端における無限遠物体合焦時の収差図である。図１２（ａ）は、第４の実施形態の広角端における物体距離０．２ｍ合焦時の収差図である。図１２（ｂ）は、第４の実施形態の中間焦点距離における物体距離０．７ｍ合焦時の収差図である。図１２（ｃ）は、第４の実施形態の望遠端における物体距離０．７ｍ合焦時の収差図である。
【００２２】
図１３は、撮像光学系を小型、高倍化するための手法の説明図である。図１３では、、第１の実施形態の広角端における物体距離無限遠合焦時の第１レンズ群から絞りまでの、軸上光束と、最軸外光束を示している。
【００２３】
本発明の撮像光学系は、デジタルカメラやビデオカメラ、放送用カメラ、監視用カメラ、銀塩写真用カメラなどの撮像装置にズームレンズとして用いる、あるいは投射装置（プロジェクタ）用の投射光学系として用いることもできる。
【００２４】
図１、図４、図７、図１０の断面図において、左側が物体側、右側が像側である。Ｌ１は第１レンズ群、Ｌ２は第２レンズ群、Ｌ３は第３レンズ群、Ｌ４は第４レンズ群、Ｌ５は第５レンズ群、Ｌ６は第６レンズ群を表す。ＳＰは開口絞り、ＩＰは像面である。撮像光学系が、ビデオカメラやデジタルスチルカメラなどに用いられる場合、像面はＣＣＤセンサやＣＭＯＳセンサ等の固体撮像素子（光電変換素子）の撮像面に相当する。
【００２５】
また、撮像光学系が銀塩フィルムカメラに用いられる場合、像面は、フィルム面に相当する。図面には記載していないが、必要に応じてローパスフィルターやＩＲカットフィルター等を撮像面の前に配置することも可能である。フィルムに撮影された画像を画像処理装置に読み込み、画像合成処理を行っても良い。
【００２６】
矢印は、ズーミング時の移動軌跡、及び、フォーカシング時の移動軌跡を示している。
【００２７】
球面収差図において、ＦｎｏはＦナンバーである。またｄはｄ線（波長５８７．６ｎｍ）、ｇはｇ線（波長４３５．８ｎｍ）である。非点収差図でΔＭとΔＳはｄ線におけるメリディオナル像面とサジタル像面である。歪曲収差図はｄ線について示している。倍率色収差図はｇ線について示している。ωは半画角である。
【００２８】
以下に、小型、広角、高ズーム比で、かつ、迅速なフォーカシングが可能な撮像光学系を得るための手法について、説明を行う。
【００２９】
（第１の実施形態）
以下、図１を参照して、本発明の第１の実施形態の撮像光学系について説明する。物体側から像側へ順に、正屈折力の第１レンズ群Ｌ１、負の屈折力の第２レンズ群Ｌ２、正屈折力の第３レンズ群Ｌ３、正屈折力の第４レンズ群Ｌ４，負屈折力の第５レンズ群Ｌ５、正屈折力の第６レンズ群Ｌ６を有している。第３レンズ群Ｌ３と第４レンズ群Ｌ４の間に、開口絞りＳＰを有している。そして、フォーカシングを第３レンズ群Ｌ３で行っている。本実施形態の撮像光学系は、広角端焦点距離が７．７７ｍｍ、望遠端焦点距離が１５５．３１ｍｍのズーム比１９．９９倍のズームレンズである。広角端Ｆナンバーは２．００、望遠端Ｆナンバーは４．００である。
【００３０】
図１３を用いて小型、高倍化の手法を説明する。図１３では、本実施形態の広角端における物体距離無限遠合焦時の第１レンズ群から絞りまでの、軸上光束と、最軸外光束を示している。本件では、小型、高倍化のため、主変倍群である第２レンズ群の屈折力を非常に強く設定しており、広角端における第１レンズ群と第２レンズ群の合成パワーは強い負屈折力となる。
【００３１】
そのため、第２レンズ群を通過後の軸外光束は、光軸に対し平行に近づく。第２レンズ群と開口絞りの間に正屈折力の第３レンズ群が無いと、図１３に示すように、第２レンズ群を通過後の軸外光束は、点線の矢印のように進むため、光軸と交わるのは光学系中の像側よりとなる。そのため、第１レンズ群の小型化を行うために開口絞りを物体側に配置すると、軸外光束が絞りの中心を通過しないといった問題が発生する。この場合、小絞りにすると、軸外光束が開口絞りに遮られ、画面周辺部を撮影できないといった問題が発生する。撮像光学系の広角端焦点距離を広角化するとその傾向がされに強まる。
【００３２】
そのため、本光学系では、図１３に示すように、強い負屈折力の第２レンズ群の後方に正屈折力の第３レンズ群を配置している。第２レンズ群で発散させた軸外光束を正屈折力の第３レンズ群により収斂させることにより、軸外光束と光軸の交点を物体側にすることができ、開口絞りを物体側へ配置することが可能となる。これにより、高倍化しつつも前玉径を小型化できる。
【００３３】
さらに、本件では、第３レンズ群でフォーカシングを行っている。インナーフォーカスとすることにより、フォーカシングレンズ群を小型軽量とすることが可能となる。
【００３４】
第２レンズ群を通過した軸上光束は発散されているが、正屈折力の第３レンズ群により、軸上に対して平行に近づく。よって、特に望遠端における第３レンズ群の倍率を大きくすることが可能となり、フォーカス敏感度を大きくすることが出来る。これにより、フォーカスの繰り出し量を低減することが可能となる。以上により、迅速なフォーカシングが可能となる。
【００３５】
なお、本件では、小型、高倍化を実現するために第２レンズ群の負屈折力を強く設定している。そのため、望遠端における第２レンズ群を通過した軸上光束の発散作用が強くなり、第３レンズ群の屈折力を適切に設定しなければフォーカス敏感度が低減する。
【００３６】
そこで本件の光学系は、第２レンズ群の焦点距離をｆ２、第３レンズ群Ｌ３の焦点距離をｆ３とするとき、下記条件式を満足することを特徴としている。
【００３７】
４．８  ＜  ｜ｆ３／ｆ２｜  ＜  ８．０  ・・・（１）
条件式（１）は、レンズの小型、高倍化と迅速なフォーカシングを実現するための条件式である。条件式（１）の下限値を超えると、主変倍群である第２レンズ群の屈折力が小さくなりすぎるため高倍化することが出来ないか、変倍のための移動量を確保する必要がありレンズが大型化する。
【００３８】
また、条件式（１）の上限値を超えると、第２レンズ群の屈折力が強くなりすぎるため、前述した正屈折力の第３レンズ群の軸外光束の収斂作用が不足し、開口絞りを像側よりに配置する必要がある。このため、第１レンズ群が大型化し問題となる。また、第３レンズ群のフォーカス敏感度が低減し、フォーカス繰り出し量が増大し、迅速なフォーカシングを行うことが出来なくなる。また、フォーカシング繰り出し量が大きくなると、フォーカシングを行うための空間を確保する必要があるため、レンズ全長が長くなりレンズが大型化する。
【００３９】
好ましくは、条件式（１）の範囲を以下の通りにすると良い。
【００４０】
４．９  ＜  ｜ｆ３／ｆ２｜  ＜  ７．８  ・・・（１ａ）
以上の構成により、小型、広角、高ズーム比で、かつ、迅速なフォーカシングが可能な撮像光学系を得ることが可能となる。
【００４１】
さらに、本件では、第２レンズ群の焦点距離をｆ２、望遠端におけるレンズ全系の焦点距離をｆｔとするとき、下記条件式を満足することを特徴としている。
【００４２】
−０．０８０  ＜  ｆ２／ｆｔ  ＜  −０．０４０・・・（２）
条件式（２）は、主変倍群である第２レンズ群の屈折力に関する条件式である。条件式（２）の下限を超えて第２レンズ群の屈折力が弱くなると、高倍化のための繰り出し量が大きくなり、レンズが大型化し問題となる。条件式（２）の上限値を超えて第２レンズ群の屈折力が強くなると、諸収差が劣化し解像力が低下する。
【００４３】
好ましくは、条件式（２）の範囲を以下の通りにすると良い。
【００４４】
−０．０７８  ＜  ｆ２／ｆｔ  ＜  −０．０４５・・・（２ａ）
さらに好ましくは、条件式（２）の範囲を以下の通りにすると良い。
【００４５】
−０．０７５  ＜  ｆ２／ｆｔ  ＜  −０．０５２・・・（２ｂ）
さらに、本件では、第１レンズ群の焦点距離をｆ１、望遠端におけるレンズ全系の焦点距離をｆｔとするとき、下記条件式を満足することを特徴としている。
【００４６】
０．３０  ＜  ｆ１／ｆｔ  ＜  ０．６０・・・（３）
条件式（３）は、第１レンズ群の屈折力に関する条件式である。条件式（３）の上限を超えて第１レンズ群の屈折力が弱くなると、高倍化した際、レンズ全長が長くなりレンズが大型化してしまう。条件式（３）の下限値を超えて第１レンズ群の屈折力が強くなると、特に望遠端における軸上色収差、倍率色収差が劣化し、解像力が低下してしまう。
【００４７】
好ましくは、条件式（３）の範囲を以下の通りにすると良い。
【００４８】
０．３５  ＜  ｆ１／ｆｔ  ＜  ０．５５・・・（３ａ）
さらに好ましくは、条件式（３）の範囲を以下の通りにすると良い。
【００４９】
０．３６  ＜  ｆ１／ｆｔ  ＜  ０．５２・・・（３ｂ）
さらに、本件では、第３レンズ群の焦点距離をｆ３、望遠端におけるレンズ全系の焦点距離をｆｔとするとき、下記条件式を満足することを特徴としている。
【００５０】
０．２８  ＜  ｆ３／ｆｔ  ＜  ０．５５・・・（４）
条件式（４）は、第３レンズ群の屈折力に関する条件式である。条件式（４）の上限を超えて第３レンズ群の屈折力が弱くなると、前述したように、強い負屈折力の第２レンズ群Ｌ２により発散された軸外光束を、第３レンズ群で収斂させることが出来ないため、広角端において絞りを物体側へ配置できなくなり前玉が大型化する。条件式（４）の下限を超えて第３レンズ群の屈折力が強くなると、球面収差、コマ収差が劣化し、解像力が低下してしまう。
【００５１】
好ましくは、条件式（４）の範囲を以下の通りにすると良い。
【００５２】
０．３０  ＜  ｆ３／ｆｔ  ＜  ０．５０・・・（４ａ）
さらに好ましくは、条件式（４）の範囲を以下の通りにすると良い。
【００５３】
０．３２  ＜  ｆ３／ｆｔ  ＜  ０．４５・・・（４ｂ）
さらに、本件では、第１レンズ群の広角端から望遠端へのズーム移動量を１ｓｔ、望遠端におけるレンズ全系の焦点距離をｆｔとするとき、下記条件式を満足することを特徴としている。
−０．１００  ＜  １ｓｔ／ｆｔ  ＜  ０．１００・・・（５）
条件式（５）は、光学性能とレンズの小型化に関する条件式である。条件式（５）の下限値を超えて、第１レンズ群の物体側への移動量が大きくなると、望遠端におけるレンズ全長が長くなり、レンズが大型化する。また、第１レンズ群は、撮像光学系を構成するレンズ群で最もレンズ径が大きくなる群であり、最も重量が大きい。特に広角化、高倍化すると顕著になり、そのようなレンズ群が大きく移動すると、撮像光学系の重心も大きく変化し、撮影時の操作性を低下させ問題となる。
【００５４】
条件式（５）の上限値を超えて第１レンズ群が変倍時に像側へ移動すると、変倍のための各レンズ群の移動量が制限され、各群のパワーが強くなり、光学性能が劣化する。
【００５５】
好ましくは、条件式（５）の範囲を以下の通りにすると良い。
【００５６】
−０.０８５  ＜  １ｓｔ／ｆｔ  ＜  ０．０８５・・・（５ａ）
さらに、本件では、絞り後方に配置される正屈折力の後群の中で、最も物体側に正屈折力の第４レンズ群を配置し、広角端から望遠端への変倍時に物体側へ移動する構成としていることを特徴としている。これは、小型、高倍化を実現するためのもので、主変倍である第２レンズ群の屈折力を強くして高倍化を達成しようとすると、前述のように、絞り位置が像側に配置されるため前玉が大型化してしまう。そこで、絞り後方に配置した、正屈折力の第４レンズ群を変倍時に物体側へ移動させ、高倍化の変倍分担を第２レンズ群と第４レンズ群で分担することにより、小型化と高倍化を達成することが可能となる。
【００５７】
さらに、本件では、第４レンズ群の焦点距離をｆ４、望遠端におけるレンズ全系の焦点距離をｆｔとするとき、下記条件式を満足することを特徴としている。
０．１００  ＜  ｆ４／ｆｔ  ＜  ０．１６０・・・（６）
これは、小型、高倍化を達成するための条件式である。条件式（６）の上限値を超えて第４レンズ群の屈折力が弱くなると、第２レンズ群の変倍分担が増え、第２レンズ群の屈折力を強くする必要があるため、前述のようにレンズ前玉が大型化する。条件式（６）の下限値を超えて、第４レンズ群の屈折力が強くなると、特に球面収差、コマ収差の劣化が顕著となり、解像力を低下させる。
【００５８】
次に、各レンズ群の構成に関して説明する。以下、各レンズ群は、物体側から像側へ順に配置されているものとする。第１レンズ群Ｌ１は、物体側凸形状の負メニスカスレンズと両凸レンズの接合レンズ、物体側凸形状の正メニスカスレンズ、物体側凸形状の正メニスカスレンズにより構成されている。第２レンズ群Ｌ２は、両凹レンズ、両凹レンズ、両凸レンズ、像側凸形状の負メニスカスレンズにより構成されている。
【００５９】
最も物体側の両凹レンズは、物体側の面に非球面を有している。この非球面により、像面湾曲、歪曲といった軸外収差を良好に補正することができる。第３レンズ群Ｌ３は、物体側より、両凸レンズ、物体側凸形状の負メニスカスレンズと物体側凸形状の正メニスカスレンズの接合レンズにより構成されている。そして、第３レンズ群によりフォーカシングを行っている。
【００６０】
第３レンズ群Ｌ３と第４レンズ群Ｌ４の間に、開口絞りＳＰを配置している。開口絞りＳＰは変倍時移動させており、これにより、前玉径を小型化することが可能となる。第４レンズ群Ｌ４は、物体側より、両凸レンズ、両凸レンズと両凹レンズの接合レンズ、両凸レンズにより構成されている。そして、最も物体側の両凸レンズの物体側に非球面を有している。この非球面により、球面収差、コマ収差を良好に補正することが可能となっている。
【００６１】
第５レンズ群Ｌ５は、両凹レンズ、物体側凸面の負メニスカスレンズと両凸レンズの接合レンズにより構成されている。第６レンズ群Ｌ６は、両凸レンズと像側凸面の負メニスカスレンズの接合レンズにより構成されている。負メニスカスレンズの像側面に非球面を有しており、像面湾曲といった軸外収差を良好に補正している。
【００６２】
（第２の実施形態）
以下、図４を参照して、本発明の第２の実施形態のレンズ構成について説明する。本実施形態の撮像光学系は、広角端焦点距離が７．７７ｍｍ、望遠端焦点距離が１５５．３１ｍｍのズーム比１９．９９倍のズームレンズである。広角端Ｆナンバーは２．００、望遠端Ｆナンバーは４．００である。
【００６３】
次に、各レンズ群の構成に関して説明する。以下、各レンズ群は、物体側から像側へ順に配置されているものとする。図４に示す本実施形態は、物体側から像側へ順に、正屈折力の第１レンズ群Ｌ１、負の屈折力の第２レンズ群Ｌ２、正屈折力の第３レンズ群Ｌ３、正屈折力の第４レンズ群Ｌ４，負屈折力の第５レンズ群Ｌ５、正屈折力の第６レンズ群Ｌ６を有している。
【００６４】
第１レンズ群Ｌ１は、物体側凸形状の負メニスカスレンズと両凸形状の正レンズの接合レンズ、物体側凸形状の正メニスカスレンズ、物体側凸形状の正メニスカスレンズにより構成されている。第２レンズ群Ｌ２は、両凹レンズ、両凹レンズ、両凸レンズ、像側凸形状の負メニスカスレンズにより構成されている。そして、最も物体側の両凹レンズは物体側の面に非球面を有している。この非球面により、広角端における像面湾曲、歪曲といった軸外収差を良好に補正することができる。
【００６５】
第３レンズ群Ｌ３は、物体側より、像側凸面の正メニスカスレンズ、物体側凸形状の負メニスカスレンズと両凸レンズの接合レンズにより構成されている。そして、第３レンズ群によりフォーカシングを行っている。第３レンズ群Ｌ３と第４レンズ群Ｌ４の間に、開口絞りＳＰを配置している。開口絞りＳＰは、変倍時固定である。これにより、絞りのメカ機構を移動させる必要がないため、構造を簡略にすることが可能となる。
【００６６】
第４レンズ群Ｌ４は、物体側より、両凸レンズ、両凸レンズと両凹レンズの接合レンズ、両凸レンズにより構成されている。そして、最も物体側の両凸レンズの物体側に非球面を有している。この非球面により、球面収差、コマ収差を良好に補正することが可能となっている。
【００６７】
第５レンズ群Ｌ５は、両凹レンズ、物体側凸面の負メニスカスレンズと両凸レンズの接合レンズにより構成されている。第６レンズ群Ｌ６は、両凸レンズと像側凸面の負メニスカスレンズの接合レンズにより構成されている。負メニスカスレンズの像側面に非球面を有しており、像面湾曲といった軸外収差を良好に補正している。
【００６８】
なお、小型、広画、高ズーム比で、迅速なフォーカシングを得るための手法は、第１の実施形態と同様であるため省略する。
【００６９】
（第３の実施形態）
以下、図７を参照して、本発明の第３の実施形態のレンズ構成について説明する。本実施形態の撮像光学系は、広角端焦点距離が７．７７ｍｍ、望遠端焦点距離が１５５．３１ｍｍのズーム比１９．９９倍のズームレンズである。広角端Ｆナンバーは２．００、望遠端Ｆナンバーは４．００である。
【００７０】
次に、各レンズ群の構成に関して説明する。以下、各レンズ群は、物体側から像側へ順に配置されているものとする。図７に示す本実施形態は、物体側から像側へ順に、正屈折力の第１レンズ群Ｌ１、負の屈折力の第２レンズ群Ｌ２、正屈折力の第３レンズ群Ｌ３、正屈折力の第４レンズ群Ｌ４，負屈折力の第５レンズ群Ｌ５、正屈折力の第６レンズ群Ｌ６を有している。
【００７１】
第１レンズ群Ｌ１は、物体側凸形状の負メニスカスレンズと両凸形状の正レンズの接合レンズ、物体側凸形状の正メニスカスレンズ、物体側凸形状の正メニスカスレンズにより構成されている。第２レンズ群Ｌ２は、両凹レンズ、両凹レンズ、両凸レンズ、像側凸形状の負メニスカスレンズにより構成されている。そして、最も物体側の負メニスカスレンズは物体側の面に非球面を有している。この非球面により、広角端における像面湾曲、歪曲といった軸外収差を良好に補正することができる。
【００７２】
第３レンズ群Ｌ３は、物体側より、両凸レンズ、両凹レンズ両凸レンズの接合レンズにより構成されている。そして、第３レンズ群によりフォーカシングを行っている。第３レンズ群Ｌ３と第４レンズ群Ｌ４の間に、開口絞りＳＰを配置している。開口絞りＳＰは、変倍時固定である。これにより、絞りのメカ機構を移動させる必要がないため、構造を簡略にすることが可能となる。
【００７３】
第４レンズ群Ｌ４は、物体側より、両凸レンズ、両凸レンズと両凹レンズの接合レンズ、両凸レンズにより構成されている。そして、最も物体側の両凸レンズの物体側に非球面を有している。この非球面により、球面収差、コマ収差を良好に補正することが可能となっている。
【００７４】
第５レンズ群Ｌ５は、両凹レンズ、物体側凸面の負メニスカスレンズと両凸レンズの接合レンズにより構成されている。第６レンズ群Ｌ６は、両凸レンズと像側凸面の負メニスカスレンズの接合レンズにより構成されている。負メニスカスレンズの像側面に非球面を有しており、像面湾曲といった軸外収差を良好に補正している。
【００７５】
なお、小型、広画、高ズーム比で、迅速なフォーカシングを得るための手法は、第１の実施形態と同様であるため省略する。
【００７６】
（第４の実施形態）
以下、図１０を参照して、本発明の第４の実施形態のレンズ構成について説明する。本実施形態の撮像光学系は、広角端焦点距離が７．７７ｍｍ、望遠端焦点距離が１５５．３１ｍｍのズーム比１９．９９倍のズームレンズである。広角端Ｆナンバーは２．００、望遠端Ｆナンバーは４．００である。
【００７７】
次に、各レンズ群の構成に関して説明する。以下、各レンズ群は、物体側から像側へ順に配置されているものとする。図１０に示す本実施形態は、物体側から像側へ順に、正屈折力の第１レンズ群Ｌ１、負の屈折力の第２レンズ群Ｌ２、正屈折力の第３レンズ群Ｌ３、正屈折力の第４レンズ群Ｌ４，負屈折力の第５レンズ群Ｌ５、正屈折力の第６レンズ群Ｌ６を有している。
【００７８】
第１レンズ群Ｌ１は、物体側凸形状の負メニスカスレンズと両凸形状の正レンズの接合レンズ、物体側凸形状の正メニスカスレンズ、物体側凸形状の正メニスカスレンズにより構成されている。第１レンズ群は、変倍時に固定である。各レンズ群中最大の重量となる第１レンズ群の移動がないため、撮影時のズーム操作中の重心の移動が少なくなり、操作性を向上させることが可能となる。
【００７９】
第２レンズ群Ｌ２は、両凹レンズ、両凹レンズ、両凸レンズ、像側凸形状の負メニスカスレンズにより構成されている。最も物体側の両凹レンズは、物体側の面に非球面を有している。この非球面により、広角端における像面湾曲、歪曲といった軸外収差を良好に補正することができる。
【００８０】
第３レンズ群Ｌ３は、物体側より、像側凸面の正メニスカスレンズ、物体側凸形状の負メニスカスレンズと両凸レンズの接合レンズにより構成されている。そして、第３レンズ群によりフォーカシングを行っている。第３レンズ群Ｌ３と第４レンズ群Ｌ４の間に、開口絞りＳＰを配置している。開口絞りＳＰは、変倍時固定である。これにより、絞りのメカ機構を移動させる必要がないため、構造を簡略にすることが可能となる。
【００８１】
第４レンズ群Ｌ４は、物体側より、両凸レンズ、両凸レンズと両凹レンズの接合レンズ、両凸レンズにより構成されている。そして、最も物体側の両凸レンズの物体側に非球面を有している。この非球面により、球面収差、コマ収差を良好に補正することが可能となっている。
【００８２】
第５レンズ群Ｌ５は、両凹レンズ、物体側凸面の負メニスカスレンズと両凸レンズの接合レンズにより構成されている。第６レンズ群Ｌ６は、両凸レンズと像側凸面の負メニスカスレンズの接合レンズにより構成されている。負メニスカスレンズの像側面に非球面を有しており、像面湾曲といった軸外収差を良好に補正している。
【００８３】
なお、小型、広画、高ズーム比で、迅速なフォーカシングを得るための手法は、第１の実施形態と同様であるため省略する。
【００８４】
以上、本発明の好ましい実施形態について説明したが、本発明はこれらの実施形態に限定されず、その要旨の範囲内で種々の変形及び変更が可能である。例えば、フォーカシングを第３レンズ群全体で行ったが、第３レンズ群を構成するレンズの一部でフォーカスすることも可能である。
【００８５】
（数値実施例）
以下、第１乃至第４の実施形態の撮像光学系の具体的な数値データを示す。各数値実施例において、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。
【００８６】
非球面形状は、光軸方向にＸ軸、光軸と垂直方向にＨ軸、光の進行方向を正としＲを近軸曲率半径、Ｋを円錐定数、Ａ４〜Ａ１０を各々非球面係数としたとき、
【００８７】
【数１】
2019061183.tif 000003
なる式で表している。＊は、非球面形状を有する面を意味している。「ｅ−ｘ」は、１０−ｘを意味している。ＢＦは、空気換算のバックフォーカスである。また、前述の各条件式と数値実施例との関係を表１に示す。
【００８８】
（数値実施例１）
単位 mm
面データ
面番号       r        d      nd         vd       有効径
1       1950.048    2.00   1.74950    35.3       57.66
2         62.744    8.98   1.49700    81.5       51.33
3       -218.673    0.18                         49.53
4         74.589    3.87   1.59522    67.7       43.16
5        721.621    0.15                         42.93
6         50.998    4.22   1.59522    67.7       41.47
7        181.283  (可変)                         40.95
8*      -184.453    1.12   1.85400    40.4       24.10
9         11.992    6.47                         17.37
10        -15.826    0.94   1.76385    48.5       17.14
11         50.764    1.48                         17.66
12         55.092    4.60   1.85478    24.8       18.41
13        -17.042    0.58                         18.53
14        -15.287    0.80   1.88300    40.8       17.98
15        -37.757  (可変)                         18.51
16        256.812    2.38   1.59522    67.7       17.94
17        -33.410    0.15                         17.88
18        169.836    1.00   1.67300    38.1       17.24
19         24.056    2.68   1.49700    81.5       17.36
20      -1381.431  (可変)                         17.50
21(絞り)    ∞     (可変)                         19.00
22*        16.956    4.70   1.55332    71.7       20.62
23       -130.000    0.04                         20.24
24         26.484    3.66   1.48749    70.2       18.74
25        -68.936    0.80   1.88300    40.8       17.76
26         65.061    1.50                         16.82
27         29.823    2.19   1.49700    81.5       15.45
28       -339.286  (可変)                         14.81
29        -68.802    0.82   1.73400    51.5       12.23
30         12.959    0.93                         11.78
31         27.238    1.00   1.83481    42.7       11.86
32         11.727    3.22   1.48749    70.2       11.94
33        -40.343  (可変)                         12.32
34         42.345    6.82   1.48749    70.2       16.69
35        -10.499    0.80   1.85400    40.4       16.62
36*       -15.736  (可変)                         17.55
像面        ∞   
非球面データ
第8面
K = 0.00000e+000  A 4= 4.36164e-005  A 6=-1.52060e-007  A 8= 3.55796e-010  A10=-1.67952e-013  
第22面
K = 0.00000e+000  A 4=-1.37748e-005  A 6=-3.03998e-008  A 8=-5.46309e-011  A10=-5.61861e-013  
第36面
K = 0.00000e+000  A 4=-6.28407e-006  A 6= 1.14386e-007  A 8=-3.73190e-009  A10= 1.54163e-011  
各種データ
ズーム比     19.99 
広角     中間     望遠
焦点距離       7.77    21.58   155.31  
Fナンバー      2.00     3.44     4.00  
画角          42.02    17.97     2.58  
像高           7.00     7.00     7.00  
レンズ全長   161.98   167.78   173.58  
BF            12.39     5.49     5.00  
無限遠物体合焦時レンズ群間隔
広角     中間     望遠
d 7            1.07    15.36    47.01  
d15            9.69     6.39     1.26  
d20           33.90    25.68     7.04  
d21           26.75    11.35     2.00  
d28            2.52     2.96     3.14  
d33            7.59    32.48    40.05  
d36           12.39     5.49     5.00  
近距離物体合焦時
近距離物体合焦時レンズ群間隔
広角     中間     望遠
d7    1.07   15.36  47.01 
d15   10.43  6.83   7.32 
d20   33.16  25.24  0.99 
d21   26.75  11.35  2.00 
d28   2.52   2.96   3.14 
d33   7.59   32.48  40.05 
d36   12.39  5.49   5.00
広角     中間     望遠
入射瞳位置    26.83    56.25   389.24  
射出瞳位置   115.07    81.47    76.93  
前側主点位置  35.19    83.97   879.89  
後側主点位置   4.62   -16.09  -150.31  
ズームレンズ群データ
群  始面    焦点距離  レンズ構成長  前側主点位置  後側主点位置
1    1      68.57        19.39         9.39         -2.93
2    8      -9.25        15.97         1.31        -11.75
3   16      58.19         6.21         1.07         -2.96
SP   21       ∞           0.00         0.00         -0.00
4   22      19.65        12.89         1.87         -7.51
5   29     -19.17         5.98        -0.19         -4.45
6   34      32.94         7.62         3.82         -1.43
単レンズデータ
レンズ  始面  焦点距離
1       1    -86.54
2       2     99.15
3       4    139.45
4       6    117.79
5       8    -13.15
6      10    -15.70
7      12     15.69
8      14    -29.58
9      16     49.82
10      18    -41.76
11      19     47.60
12      22     27.42
13      24     39.75
14      25    -37.80
15      27     55.27
16      29    -14.79
17      31    -25.41
18      32     19.02
19      34     18.02
20      35    -39.74
【００８９】
（数値実施例２）
単位 mm
面データ
面番号       r        d      nd         vd       有効径
1       2052.158    2.00   1.72047    34.7       61.50
2         69.554    7.99   1.49700    81.5       54.90
3       -280.543    0.18                         53.96
4         86.026    4.48   1.59522    67.7       51.07
5        831.925    0.15                         50.55
6         53.401    4.73   1.59522    67.7       46.44
7        170.829  (可変)                         45.86
8*      -528.390    1.12   1.85400    40.4       25.86
9         11.952    7.02                         18.58
10        -18.903    0.94   1.80400    46.6       18.45
11         67.681    0.30                         19.12
12         41.412    4.95   1.85478    24.8       19.57
13        -18.765    0.45                         19.62
14        -17.209    0.80   1.88300    40.8       19.19
15        -40.761  (可変)                         19.54
16        -80.521    1.42   1.59522    67.7       16.49
17        -41.341    0.15                         16.73
18         55.399    1.00   1.80610    33.3       16.99
19         24.194    2.84   1.59522    67.7       16.88
20       -116.414  (可変)                         16.92
21(絞り)    ∞     (可変)                         16.46
22*        16.418    3.73   1.55332    71.7       16.91
23       -266.497    0.04                         16.48
24         27.886    2.57   1.48749    70.2       15.76
25        -73.898    0.80   1.88300    40.8       15.17
26         65.061    0.44                         14.54
27         27.989    2.01   1.59522    67.7       14.03
28      -2004.103  (可変)                         13.45
29        -68.397    0.82   1.73400    51.5       12.20
30         12.178    0.95                         11.67
31         24.716    1.00   1.83481    42.7       11.75
32         11.179    3.20   1.48749    70.2       11.80
33        -47.245  (可変)                         12.18
34        154.930    4.50   1.48749    70.2       15.26
35        -11.939    0.80   1.85400    40.4       15.38
36*       -16.061  (可変)                         15.96
像面        ∞   
非球面データ
第8面
K = 0.00000e+000  A 4= 2.41795e-005  A 6=-7.84303e-008  A 8= 1.41209e-010  A10=-1.06430e-013  
第22面
K = 0.00000e+000  A 4=-1.00121e-005  A 6=-1.73489e-008  A 8=-8.93721e-011  A10=-9.00157e-013  
第36面
K = 0.00000e+000  A 4= 1.43105e-005  A 6= 5.72855e-009  A 8=-3.99527e-009  A10= 2.88645e-011  
各種データ
ズーム比     19.99 
広角     中間     望遠
焦点距離       7.77    25.71   155.31  
Fナンバー      2.00     3.39     4.00  
画角          42.02    15.23     2.58  
像高           7.00     7.00     7.00  
レンズ全長   162.00   164.50   167.00  
BF            11.51     5.47     5.00  
無限遠物体合焦時レンズ群間隔
広角     中間     望遠
d 7            1.24    23.82    52.42  
d15           35.82    14.50     1.00  
d20           20.84    22.08     9.48  
d21           27.69     9.26     2.00  
d28            2.52     3.33     3.38  
d33            1.00    24.65    32.34  
d36           11.51     5.47     5.00  
近距離物体合焦時レンズ群間隔
広角     中間     望遠
d7    1.24   23.82  52.42 
d15   36.71  15.20  9.49 
d20   19.95  21.37  0.99 
d21   27.69  9.26   2.00 
d28   2.52   3.33   3.38 
d33   1.00   24.65  32.34 
d36   11.51  5.47   5.00
広角     中間     望遠
入射瞳位置    28.69    85.00   450.16  
射出瞳位置  -5172.07   300.35   199.88  
前側主点位置  36.45   112.95   729.25  
後側主点位置   3.74   -20.24  -150.31  
ズームレンズ群データ
群  始面    焦点距離  レンズ構成長  前側主点位置  後側主点位置
1    1      76.58        19.53         8.54         -3.90
2    8     -11.02        15.58         1.03        -11.38
3   16      55.45         5.41         1.73         -1.65
SP  21       ∞           0.00         0.00         -0.00
4   22      18.76         9.59         1.35         -5.15
5   29     -17.79         5.97        -0.04         -4.28
6   34      38.42         5.30         3.57          0.09
単レンズデータ
レンズ  始面  焦点距離
1       1    -99.97
2       2    113.00
3       4    160.84
4       6    128.59
5       8    -13.67
6      10    -18.29
7      12     15.70
8      14    -34.27
9      16    140.84
10      18    -54.06
11      19     33.91
12      22     28.08
13      24     41.88
14      25    -39.08
15      27     46.39
16      29    -14.02
17      31    -25.30
18      32     18.88
19      34     22.94
20      35    -59.82
【００９０】
（数値実施例３）
単位 mm
面データ
面番号       r        d      nd         vd       有効径
1        334.979    2.00   1.74950    35.3       56.35
2         49.051    8.48   1.49700    81.5       49.43
3       -383.941    0.18                         48.52
4         57.941    4.30   1.59522    67.7       40.71
5        526.634    0.15                         39.46
6         46.429    3.84   1.59522    67.7       37.81
7        151.761  (可変)                         37.32
8*      -253.848    1.12   1.85400    40.4       23.45
9         11.184    6.27                         16.63
10        -15.503    0.94   1.76385    48.5       16.40
11         56.606    1.73                         16.77
12         67.573    4.07   1.85478    24.8       17.46
13        -16.683    0.50                         17.56
14        -15.196    0.80   1.80400    46.6       17.08
15        -47.687  (可変)                         17.42
16        195.016    2.43   1.59522    67.7       17.18
17        -31.510    0.15                         17.48
18       -228.238    1.00   1.88300    40.8       17.65
19         35.640    2.88   1.49700    81.5       17.91
20        -59.807  (可変)                         18.21
21(絞り)    ∞     (可変)                         20.29
22*        17.305    5.95   1.55332    71.7       23.36
23        -84.776    0.04                         22.96
24         24.841    4.37   1.48749    70.2       20.45
25        -45.541    0.80   1.88300    40.8       19.51
26         65.061    0.28                         18.18
27         25.646    2.64   1.49700    81.5       17.30
28       -280.745  (可変)                         16.54
29       -115.873    0.82   1.72916    54.7       13.36
30         12.687    0.98                         11.86
31         27.720    1.00   1.83481    42.7       11.82
32         10.139    2.95   1.48749    70.2       11.10
33        -66.340  (可変)                         11.27
34         48.795    6.38   1.48749    70.2       16.32
35        -10.031    0.80   1.85400    40.4       16.29
36*       -15.102  (可変)                         17.33
像面        ∞   
非球面データ
第8面
K = 0.00000e+000  A 4= 4.92058e-005  A 6=-1.94813e-007  A 8= 5.86843e-010  A10=-8.85082e-013  
第22面
K = 0.00000e+000  A 4=-1.44208e-005  A 6=-3.63274e-008  A 8=-1.59306e-011  A10=-5.48613e-013  
第36面
K = 0.00000e+000  A 4=-9.59588e-006  A 6= 3.40897e-007  A 8=-6.92458e-009  A10= 2.72133e-011  
各種データ
ズーム比     19.99 
広角     中間     望遠
焦点距離       7.77    20.45   155.31  
Fナンバー      2.00     3.42     4.00  
画角          42.02    18.90     2.58  
像高           7.00     7.00     7.00  
レンズ全長   162.00   164.50   167.00  
BF            11.37     5.60     6.08  
無限遠物体合焦時レンズ群間隔
広角     中間     望遠
d 7            1.00    10.56    39.22  
d15            6.04     4.23     1.00  
d20           35.04    29.79     6.85  
d21           27.69     9.26     2.00  
d28            2.52     2.87     3.39  
d33           10.49    34.34    40.60  
d36           11.37     5.60     6.08  
近距離物体合焦時レンズ群間隔
広角     中間     望遠
d7    1.00   10.56  39.22 
d15   6.83   4.63   6.86 
d20   34.25  29.38  0.99 
d21   27.69  9.26   2.00 
d28   2.52   2.87   3.39 
d33   10.49  34.34  40.60 
d36   11.37  5.60   6.08
広角     中間     望遠
入射瞳位置    26.68    46.68   335.50  
射出瞳位置   119.23    89.24    82.15  
前側主点位置  35.01    72.12   807.93  
後側主点位置   3.60   -14.85  -149.23  
ズームレンズ群データ
群  始面    焦点距離  レンズ構成長  前側主点位置  後側主点位置
1    1      59.85        18.95         8.53         -3.59
2    8      -8.53        15.44         1.44        -11.17
3   16      64.84         6.46         2.13         -2.05
SP  21       ∞           0.00         0.00         -0.00
4   22      18.67        14.07         1.98         -7.64
5   29     -16.67         5.75         0.36         -3.66
6   34      33.61         7.18         3.83         -1.08
単レンズデータ
レンズ  始面  焦点距離
1       1    -76.90
2       2     88.09
3       4    109.01
4       6    110.88
5       8    -12.52
6      10    -15.84
7      12     16.01
8      14    -28.05
9      16     45.76
10      18    -34.85
11      19     45.39
12      22     26.52
13      24     33.66
14      25    -30.24
15      27     47.42
16      29    -15.64
17      31    -19.66
18      32     18.27
19      34     17.70
20      35    -37.72
【００９１】
（数値実施例４）
単位 mm
面データ
面番号       r        d      nd         vd       有効径
1        868.534    2.00   1.72047    34.7       59.26
2         61.187    8.12   1.49700    81.5       52.62
3       -295.826    0.18                         51.71
4         81.481    4.02   1.59522    67.7       46.20
5        826.814    0.15                         45.68
6         48.619    4.49   1.59522    67.7       42.13
7        170.552  (可変)                         41.59
8*     -2829.617    1.12   1.85400    40.4       25.51
9         11.580    6.94                         18.18
10        -18.521    0.94   1.80400    46.6       18.03
11         56.468    0.55                         18.61
12         41.392    4.82   1.85478    24.8       19.10
13        -18.393    0.41                         19.17
14        -17.045    0.80   1.88300    40.8       18.76
15        -42.245  (可変)                         19.10
16       -100.911    1.51   1.59522    67.7       15.91
17        -39.184    0.15                         16.11
18         53.504    1.00   1.80610    33.3       16.32
19         24.266    2.48   1.59522    67.7       16.21
20       -401.916  (可変)                         16.23
21(絞り)    ∞     (可変)                         17.20
22*        16.303    3.71   1.55332    71.7       17.82
23       -278.985    0.04                         17.48
24         26.381    2.85   1.48749    70.2       16.61
25        -67.770    0.80   1.88300    40.8       15.99
26         65.061    0.62                         15.28
27         27.426    1.99   1.59522    67.7       14.61
28      -11592.662  (可変)                         14.04
29        -70.782    0.82   1.73400    51.5       12.03
30         11.913    0.97                         11.49
31         24.975    1.00   1.83481    42.7       11.57
32         11.081    3.19   1.48749    70.2       11.62
33        -43.294  (可変)                         12.01
34        189.797    4.88   1.48749    70.2       15.31
35        -10.846    0.80   1.85400    40.4       15.43
36*       -15.067  (可変)                         16.16
像面        ∞   
非球面データ
第8面
K = 0.00000e+000  A 4= 2.74233e-005  A 6=-8.90127e-008  A 8= 1.45272e-010  A10=-1.12846e-013  
第22面
K = 0.00000e+000  A 4=-1.05867e-005  A 6=-1.84766e-008  A 8=-1.03618e-010  A10=-7.65628e-013  
第36面
K = 0.00000e+000  A 4= 8.47522e-006  A 6= 6.70019e-008  A 8=-5.92008e-009  A10= 4.34238e-011  
各種データ
ズーム比     19.99 
広角     中間     望遠
焦点距離       7.77    24.98   155.31  
Fナンバー      2.00     3.41     4.00  
画角          42.02    15.66     2.58  
像高           7.00     7.00     7.00  
レンズ全長   162.00   162.00   162.00  
BF            12.05     5.29     5.00  
無限遠物体合焦時レンズ群間隔
広角     中間     望遠
d 7            1.05    19.89    46.36  
d15           31.86    13.44     1.00  
d20           23.61    23.19     9.16  
d21           27.69     9.26     2.00  
d28            2.52     3.26     3.33  
d33            1.88    26.33    33.81  
d36           12.05     5.29     5.00  
近距離物体合焦時レンズ群間隔
広角     中間     望遠
d7           1.05   19.89  46.36 
d15           32.68      14.08  9.17 
d20         22.79   22.55  0.99 
d21         27.69   9.26   2.00 
d28          2.52   3.26   3.33 
d33          1.88   26.33  33.81 
d36         12.05   5.29   5.00
広角     中間     望遠
入射瞳位置    27.95    74.55   399.83  
射出瞳位置   940.79   228.29   171.57  
前側主点位置  35.79   102.33   699.94  
後側主点位置   4.28   -19.69  -150.31  
ズームレンズ群データ
群  始面    焦点距離  レンズ構成長  前側主点位置  後側主点位置
1    1      69.03        18.96         8.50         -3.61
2    8     -10.45        15.57         1.15        -11.29
3   16      57.71         5.14         1.24         -1.97
SP  21       ∞           0.00         0.00         -0.00
4   22      18.53        10.02         1.43         -5.46
5   29     -17.66         5.98        -0.09         -4.35
6   34      38.43         5.68         3.93          0.19
単レンズデータ
レンズ  始面  焦点距離
1       1    -91.46
2       2    102.79
3       4    151.55
4       6    112.70
5       8    -13.50
6      10    -17.25
7      12     15.47
8      14    -32.85
9      16    106.64
10      18    -55.94
11      19     38.53
12      22     27.96
13      24     39.34
14      25    -37.49
15      27     45.97
16      29    -13.83
17      31    -24.67
18      32     18.45
19      34     21.22
20      35    -49.67
【００９２】
【表１】
2019061183.tif 000004
【符号の説明】
【００９３】
Ｌ１     第１レンズ群
Ｌ２     第２レンズ群
Ｌ３     第３レンズ群
Ｌ４     第４レンズ群
Ｌ５     第５レンズ群
Ｌ６     第６レンズ群
ＳＰ     絞り
ＩＰ  像面
ｄ    ｄ線
ｇ    ｇ線
ΔＭ     メリディオナル像面
ΔＳ  サジタル像面
ＦｎｏＦナンバー
ω    半画角
【図１】
2019061183.tif 000005
【図２】
2019061183.tif 000006
【図３】
2019061183.tif 000007
【図４】
2019061183.tif 000008
【図５】
2019061183.tif 000009
【図６】
2019061183.tif 000010
【図７】
2019061183.tif 000011
【図８】
2019061183.tif 000012
【図９】
2019061183.tif 000013
【図１０】
2019061183.tif 000014
【図１１】
2019061183.tif 000015
【図１２】
2019061183.tif 000016
【図１３】
2019061183.tif 000017